(57)【特許請求の範囲】
【請求項１】
内部に送風機を備え、予め穿設された壁孔に装着されるパイプファンにおいて、
外径が前記壁孔の内径よりも小さく形成されると共に、軸方向に伸縮可能なジャバラで形成された筒状部の一端に、壁面の開口部よりも外径の大きいフランジ部を有し、
該フランジ部を一方の壁面に当接させて前記筒状部が前記壁孔に挿入される連結ダクトと、
外径が前記壁孔の内径より小さく形成されると共に、前記連結ダクトの筒状部と嵌合可能に形成された筒状部の一端に、壁面の開口部よりも外径の大きなフランジ部を有し、該フランジ部を他方の壁面に当接させて該筒状部の他端が前記連結ダクトの筒状部の他端と嵌合し、嵌合部に形成された係止片により係合して連結される固定枠と、
外径が前記連結ダクトの内径より小さく形成された筒状部の一端に、壁面の開口部よりも外径の大きいフランジ部を有し、該筒状部の内側に送風機が取付けられ、該フランジ部を前記連結ダクトのフランジ部の外側に配置して前記送風機が取付けられた筒状部が前記連結ダクトの筒状部に挿入されるパイプファン本体と、
前記連結ダクトのフランジ部及び前記固定枠のフランジ部を連結し締付けることでそれぞれ壁面に圧接する方向に相互に結束する結束部材と、
前記固定枠の開口部に取り付けられるパイプフードまたは又はベンドキャップ等の外壁部材と、
を備え、
前記結束部材は，鉤状に曲がった基部から先端まで細長い薄板状に形成され、少なくとも片面の所定の範囲に、先端から基部に向かっての摺動が可能で、基部から先端に向かっての摺動を阻止する鋸歯状凹凸面を有するバンド部と、このバンド部の挿入が可能な開口を有し、かつ、前記鋸歯状凹凸面と所定の圧力を持って噛み合うと共に、前記鋸歯状凹凸面の形状に対応した摺動及び摺動阻止を行う係合爪を有する係止リング部とを備え、
前記連結ダクトのフランジ部及び前記固定枠のフランジ部は、互いに対向する周方向の同一位置に前記パンド部を挿通させる開口が形成され、前記連結ダクトのフランジ部及び前記固定枠のフランジ部のいずれか一方の前記開口の外側からいずれか他方の前記開口の外側まで前記バンド部を挿通させ、前記バンド部の先端に係止リング部を噛合させ、前記バンド部の鉤状に曲がった基部と前記係止リング部とで前記連結ダクトのフランジ部及び前記固定枠のフランジ部を締付け固定する、
ことを特徴とするパイプファン。
【請求項２】
前記いずれか一方のフランジ部が前記連結ダクトのフランジ部であり、いずれか他方のフランジ部が前記固定枠のフランジ部であり、
前記バンド部の鉤状に曲がった基部は所定の厚みを有し、前記連結ダクトのフランジ部は軸方向に突出して先端部が径方向に弾性変形可能な突起部を有し、前記基部及び突起部のいずれか一方に形成された開口といずれか他方に形成された爪部とを相互に係合させたことを特徴とする請求項１に記載のパイプファン。
【請求項３】
前記連結ダクトの筒状部の他端の内側に、前記固定枠の他端を挿入して前記他端どうしを相互に係合させ、前記連結ダクトの他端の外周面に前記バンド部の先端部を挿通させてその位置を保持する開口を有する保持部を備えたことを特徴とする請求項１又は２に記載のパイプファン。
【請求項４】
前記パイプファン本体のフランジ部を周方向に分けた少なくとも２箇所に、前記連結ダクトのフランジ部の外周縁に嵌合し、先端が径方向に弾性変形可能に突出し、先端部から径方向内方に向いた爪部が弾性変形により前記連結ダクトのフランジ部に係合する係合部を有し、この係合部の掛け外しに応じて前記連結ダクトに対して前記パイプファン本体の着脱を可能にし、
前記係合部を含めた前記パイプファン本体のフランジ部を覆い被せる化粧グリルを備え、
前記係合部の爪部及びこの爪部に係合せしめられる前記連結ダクトのフランジ部の内側端面に、互いに歯合する放射状の凹凸部を形成すると共に、前記連結ダクトのフランジ部の内側端面に形成される凹凸部の周方向長さを前記爪部の周方向長さよりも長くしたことを特徴とする請求項１乃至３のいずれかに記載のパイプファン。
【請求項５】
前記固定枠のフランジ部及び前記外壁部材のいずれか一方に弾性を利用した爪部を設け、いずれか他方に前記爪部と係合する係合溝を設け、前記爪部の前記係合溝に対する掛け外しに応じて前記固定枠に対して前記外壁部材の着脱を可能にし、
前記係合溝の周方向長さを前記爪部の周方向長さよりも長く形成し、前記外壁部材を周方向に回転可能にし、
外部操作によって前記爪部の前記係合溝に対する係合状態を解除する係合解除手段を備え、
前記係合溝は周方向に鋸歯状に連続する凹凸溝でなり、前記爪部が前記凹凸溝を摺動可能に形成され、前記外壁部材を周方向に回動させることによって、前記外壁部材の取付け角度を可変にしたことを特徴とする
請求項１乃至４のいずれかに記載のパイプファン。
【請求項６】
前記パイプファン本体の筒状部の外周面に、径方向外方に弓状に湾曲し、その一端が固定された板状のスプリングを設け、前記スプリングの弾性により前記パイプファン本体を前記連結ダクトに着脱可能にし、
前記パイプファン本体部に対して前記板状のスプリングの一端を着脱可能に締付ける締付け機構を備えたことを特徴とする請求項１乃至５のいずれかに記載のパイプファン。
【請求項７】
前記連結ダクトのフランジ部の内周面に、自由端が軸方向内側に延び、かつ、径方向内側に曲がった弾性を有する複数の圧接片を周方向の複数箇所に設け、該圧接片により前記パイプファン本体の筒状部を保持し、
前記連結ダクトのフランジ部の外側端面の周方向の複数箇所に、それぞれ径方向に貫通するスリットが穿設された突起部を設け、前記圧接片の基端部に部分的に切り起こしてなる弾性突部を形成し，該弾性突部を形成した部位を前記突起部のスリットに挿入して、前記弾性突部が抜け出しを防止するように前記圧接片の基端部を固定したことを特徴とする１乃至６のいずれかに記載のパイプファン。
【請求項８】
前記バンド部の鋸歯状凹凸面に係合している前記係止リング部の係合爪を、外部操作によって係合状態を解除する係合解除機構を備えたことを特徴とする請求項１に記載のパイプファン。
【発明の詳細な説明】
【０００１】
【発明の属する技術分野】
本発明は、内部に送風機を備え、予め穿設された壁孔に装着されるパイプファンに関する。
【０００２】
【従来の技術】
この種のパイプファンは、主に、壁孔に挿嵌されるパイプと、このパイプ内に取り付けられるパイプファン本体と、このパイプファン本体を壁の内側から通風可能に覆い被せる化粧グリルと、パイプが挿嵌された外壁面の開口部を覆う外壁部材とで構成される。
【０００３】
図２３を参照して従来のパイプファンの構成及び壁に取付ける際の施工方法と併せて説明する。この場合、（ａ）に示すように、例えば、サークルカッターＣを用いて内外の壁材１及び２に軸芯が一致した孔１ａ，２ａを開ける。次に、（ｂ）に示すように、例えば、塩化ビニール製のパイプ３を壁厚に応じて切断加工し、孔１ａ，２ａに挿入し、壁材１及び２とパイプ３の境界とをシリコン等の接着剤でシーリングし、続いて、（ｃ）に示すように、化粧グリル５を付帯するパイプファン本体４をパイプ３内に装着し、さらに、外壁部材６を装着していた。
【０００４】
この場合、建物によって壁の厚みが異なることを考慮して、例えば、（ｄ）に示すように、径違いのパイプ７ａ及び７ｂを軸方向にスライドさせるパイプキット７を準備し、壁厚にあった長さに調整したのち、相互に重なる部分を例えばテープで固定して、パイプ７ａのフランジ部を木ねじ８で壁面に固定する方法も一部に採用されていた。
【０００５】
【発明が解決しようとする課題】
上述した従来のパイプファンにあっては、壁に挿入するパイプを送風機とは別に手配し、壁の厚みを測定してこれを切断し、場合によっては調整し、さらに、パイプを壁に固定するというように、多大な時間と労力を必要とした。
【０００６】
本発明は、上記の事情を考慮してなされたもので、建物の壁厚が異なる場合でも、施工を容易化すると共に、補修交換も容易化することのできるパイプファンを提供することを目的とする。
【０００７】
【課題を解決するための手段】
請求項１に係る発明は、
内部に送風機を備え、予め穿設された壁孔に装着されるパイプファンにおいて、
外径が前記壁孔の内径よりも小さく形成されると共に、軸方向に伸縮可能に形成された筒状部の一端に、壁面の開口部よりも外径の大きいフランジ部を有し、該フランジ部を一方の壁面に当接させて前記筒状部が前記壁孔に挿入される連結ダクトと、
外径が前記壁孔の内径より小さく形成されると共に、前記連結ダクトの筒状部と嵌合可能に形成された筒状部の一端に、壁面の開口部よりも外径の大きなフランジ部を有し、該フランジ部を他方の壁面に当接させて該筒状部の他端が前記連結ダクトの筒状部の他端と嵌合し、嵌合部に形成された係止片により係合して連結される固定枠と、
外径が前記連結ダクトの内径より小さく形成された筒状部の一端に、壁面の開口部よりも外径の大きいフランジ部を有し、該筒状部の内側に送風機が取付けられ、該フランジ部を前記連結ダクトのフランジ部の外側に配置して前記送風機が取付けられた筒状部が前記連結ダクトの筒状部に挿入されるパイプファン本体と、
前記連結ダクトのフランジ部及び前記固定枠のフランジ部を連結し締付けることでそれぞれ壁面に圧接する方向に相互に結束する結束部材と、
前記固定枠の開口部に取り付けられるパイプフードまたは又はベンドキャップ等の外壁部材と、
を備え、
前記連結ダクトの筒状部がジャバラでなり、
前記結束部材は，鉤状に曲がった基部から先端まで細長い薄板状に形成され、少なくとも片面の所定の範囲に、先端から基部に向かっての摺動が可能で、基部から先端に向かっての摺動を阻止する鋸歯状凹凸面を有するバンド部と、このバンド部の挿入が可能な開口を有し、かつ、前記鋸歯状凹凸面と所定の圧力を持って噛み合うと共に、前記鋸歯状凹凸面の形状に対応した摺動及び摺動阻止を行う係合爪を有する係止リング部とを備え、
前記連結ダクトのフランジ部及び前記固定枠のフランジ部は、互いに対向する周方向の同一位置に前記パンド部を挿通させる開口が形成され、前記連結ダクトのフランジ部及び前記固定枠のフランジ部のいずれか一方の前記開口の外側からいずれか他方の前記開口の外側まで前記バンド部を挿通させ、前記バンド部の先端に係止リング部を噛合させ、前記バンド部の鉤状に曲がった基部と前記係止リング部とで前記連結ダクトのフランジ部及び前記固定枠のフランジ部を締付け固定する、
ことを特徴とする。
【０００８】
請求項２に係る発明は、請求項１に記載のパイプファンにおいて、
前記いずれか一方のフランジ部が前記連結ダクトのフランジ部であり、いずれか他方のフランジ部が前記固定枠のフランジ部であり、
前記バンド部の鉤状に曲がった基部は所定の厚みを有し、前記連結ダクトのフランジ部は軸方向に突出して先端部が径方向に弾性変形可能な突起部を有し、前記基部及び突起部のいずれか一方に形成された開口といずれか他方に形成された爪部とを相互に係合させた
ことを特徴とする。
【０００９】
請求項３に係る発明は、請求項１又は２に記載のパイプファンにおいて、
前記連結ダクトの筒状部の他端の内側に、前記固定枠の他端を挿入して前記他端どうしを相互に係合させ、前記連結ダクトの他端の外周面に前記バンド部の先端部を挿通させてその位置を保持する開口を有する保持部を備えた
ことを特徴とする。
【００１０】
請求項４に係る発明は、請求項１乃至３のいずれかに記載のパイプファンにおいて、
前記パイプファン本体のフランジ部を周方向に分けた少なくとも２箇所に、前記連結ダクトのフランジ部の外周縁に嵌合し、先端が径方向に弾性変形可能に突出し、先端部から径方向内方に向いた爪部が弾性変形により前記連結ダクトのフランジ部に係合する係合部を有し、この係合部の掛け外しに応じて前記連結ダクトに対して前記パイプファン本体の着脱を可能にし、
前記係合部を含めた前記パイプファン本体のフランジ部を覆い被せる化粧グリルを備え、
前記係合部の爪部及びこの爪部に係合せしめられる前記連結ダクトのフランジ部の内側端面に、互いに歯合する放射状の凹凸部を形成すると共に、前記連結ダクトのフランジ部の内側端面に形成される凹凸部の周方向長さを前記爪部の周方向長さよりも長くしたこと
ことを特徴とする。
【００１１】
請求項５に係る発明は、請求項１乃至４のいずれかに記載のパイプファンにおいて、
前記固定枠のフランジ部及び前記外壁部材のいずれか一方に弾性を利用した爪部を設け、いずれか他方に前記爪部と係合する係合溝を設け、前記爪部の前記係合溝に対する掛け外しに応じて前記固定枠に対して前記外壁部材の着脱を可能にし、
前記係合溝の周方向長さを前記爪部の周方向長さよりも長く形成し、前記外壁部材を周方向に回転可能にし、
外部操作によって前記爪部の前記係合溝に対する係合状態を解除する係合解除手段を備え、
前記係合溝は周方向に鋸歯状に連続する凹凸溝でなり、前記爪部が前記凹凸溝を摺動可能に形成され、前記外壁部材を周方向に回動させることによって、前記外壁部材の取付け角度を可変にしたこと
ことを特徴とする。
【００１２】
請求項６に係る発明は、請求項１乃至５のいずれかいずれか１項に記載のパイプファンにおいて、
前記パイプファン本体の筒状部の外周面に、径方向外方に弓状に湾曲し、その一端が固定された板状のスプリングを設け、前記スプリングの弾性により前記パイプファン本体を前記連結ダクトに着脱可能にし、
前記パイプファン本体部に対して前記板状のスプリングの一端を着脱可能に締付ける締付け機構を備えた
ことを特徴とする。
【００１３】
請求項７に係る発明は、請求項１乃至６のいずれか１項に記載のパイプファンにおいて、
前記連結ダクトのフランジ部の内周面に、自由端が軸方向内側に延び、かつ、径方向内側に曲がった弾性を有する複数の圧接片を周方向の複数箇所に設け、該圧接片により前記パイプファン本体の筒状部を保持し、
前記連結ダクトのフランジ部の外側端面の周方向の複数箇所に、それぞれ径方向に貫通するスリットが穿設された突起部を設け、前記圧接片の基端部に部分的に切り起こしてなる弾性突部を形成し，該弾性突部を形成した部位を前記突起部のスリットに挿入して、前記弾性突部が抜け出しを防止するように前記圧接片の基端部を固定した
ことを特徴とする。
【００１４】
請求項８に係る発明は、請求項１に記載のパイプファンにおいて、
前記バンド部の鋸歯状凹凸面に係合している前記係止リング部の係合爪を、外部操作によって係合状態を解除する係合解除機構を備えた
ことを特徴とする。
【００１５】
【発明の実施の形態】
以下、本発明を図面に示す好適な実施形態に基づいて詳細に説明する。
図１は本発明に係るパイプファンの第１の実施形態の構成を示す縦断面図であり、図２はその分解斜視図である。これら各図において、内外の壁材１及び２に軸芯が一致した孔が穿設され、これらの孔にパイプファン本体が装着されている。ここで、筒状部９の室外側の端部に送風機１０の電動機１０ａがその出力軸を内側に向けて装着され、この出力軸に羽根１０ｂが固定されている。電動機１０ａとは反対の筒状部９の室内側の端部には壁孔１ａの開口よりも外径の大きなフランジ部９ａが一体的に形成され、これらがパイプファン本体４を形成している。
【００１６】
パイプファン本体４の筒状部９の外側に、連結ダクト１１が装着されている。この連結ダクト１１は筒状部をジャバラ部１２により構成しており、このジャバラ部１２は軸方向に伸縮自在で、所定の範囲で最も短くした状態での内径はパイプファン本体４の筒状部９の外径よりも大きく、外径は壁孔１ａの内径よりも小さくなるように構成されている。連結ダクト１１の室内側の端部には壁孔１ａの開口よりも外径の大きなフランジ部１２ａが結合されており、さらに、このフランジ部１２ａを周方向に２等分した位置にそれぞれ角孔１３が設けられている。なお、角孔１３は壁孔１ａの開口に面した位置に設けられている。また、連結ダクト１１の室外側端部に環状部材１２ｂが結合され、この環状部材１２ｂには周方向を２等分した位置にそれぞれ孔１４が形成されている。
【００１７】
一方、室外側には壁孔２ａの開口部に挿入されると共に、連結ダクト１１の環状部材１２ｂに挿嵌される筒状部１６と、この筒状部１６の外側に壁孔２ａの開口部よりも外径の大きいフランジ部１６ａが結合されてなる固定枠１５を備えている。この固定枠１５の筒状部１６の先端における周方向を２等分した外周面にそれぞれ係止片となす爪部１７が形成され、これらの爪部１７が連結ダクト１１の環状部材１２ｂに形成された孔１４と係合して連結ダクト１１と固定枠１５とを結合している。また、このフランジ部１６ａを周方向に２等分した位置にそれぞれロック機構部１８が設けられている。なお、ロック機構部１８は壁孔の開口に面した位置で、前述した連結ダクト１１のフランジ部１２ａに形成した角孔１３に対応する位置に設けられている。
【００１８】
上述した角孔１３とロック機構部１８との間にはバンド部としての例えばインシュロック（タイトン（株）商品名）等の結束バンド部材１９が通されている。この結束バンド部材１９は、鉤状に曲がった基部から先端まで細長い薄板状に形成され、少なくとも片面の所定の範囲に、先端から基部に向かっての摺動が可能で、基部から先端に向かっての摺動を阻止する鋸歯状凹凸面１９ａを有している。固定枠１５に形成されたロック機構部１８は、結束バンド部材１９の挿入が可能な開口を有し、かつ、鋸歯状凹凸面１９ａと所定の圧力を持って噛み合うと共に、その凹凸面の形状に対応した摺動及び摺動阻止を行う係合爪１８ａを有している。さらに、固定枠１５の外側には外壁部材６が装着されている。
【００１９】
次に、このパイプファンの取付け方法について説明する。先ず、壁材１及び２に孔１ａ，２ａを明け、フランジ部１２ａに形成した角孔１３にそれぞれ結束バンド部材１９が通された連結ダクト１１を室内側より挿入する一方、室外側より固定枠１５の筒状部１６を壁孔２ａに挿入し、結束バンド部材１９の先端をロック機構部１８に通すと共に、先端に設けられた爪部１７を連結ダクト１１の環状部材１２ｂに形成された孔１４に係合させる。次に結束バンド部材１９の先端部を引っ張り、連結ダクト１１のフランジ部１２ａと固定枠１５のフランジ部１６ａとによって壁材１及び２を両側から挟み込んで連結ダクト１１を固定する。その後、固定枠１５の外側に外壁部材６を装着し、室内側からパイプファン本体４を装着する。
【００２０】
かくして、図１及び図２に示した構成によれば、壁厚に合わせてパイプを切断する必要がなくなり、また、パイプを固定するためのコーキング等の処理が不要になる。
【００２１】
図３は本発明に係るパイプファンの第２の実施形態の構成を示す部分断面図であり、特に、結束バンド部材１９のフランジ部１２ａに対する組み付け機構を示している。図中、図１又は図２と同一の要素には同一の符号を付してその説明を省略する。ここでは、結束バンド部材１９の基部１９ｂが鉤状に曲がってストッパの機能を有するよう肉厚に形成され、この基部１９ｂに径方向に貫通する貫通孔２０が設けられている。また、フランジ部１２ａの外周端部が軸方向外側に突出し、その突出部の内周面には、角孔１３に隣接して爪部２１が設けられている。
【００２２】
このような構成により、フランジ部１２ａの角孔１３に結束バンド部材１９を通し、これを強く引くと結束バンド部材１９の鉤状になった部位の貫通孔２０が爪部２１に嵌まることとなり、連結ダクト１１を壁孔１ａに挿入するとき、結束バンド部材１９を一体化したものとして取り扱うことができる。すなわち、連結ダクト１１から結束バンド部材１９が抜け落ちるのを防ぐことができる。
【００２３】
図４は本発明に係るパイプファンの第３の実施形態の構成を示す部分斜視図であり、図中、図１又は図２と同一の要素には同一の符号を付してその説明を省略する。これは、連結ダクト１１に形成されている環状部材１２ｂには固定枠１５と係合するための孔１４を有し、さらに、これらの孔１４とは周方向の異なる位置にガイド２２が突設されている。このガイド２２は環状部材１２ｂの外周面のうち、反対側の端部のフランジ部１２ａに形成された角孔１３に対応する位置に設けられ、結束バンド部材１９を挿通させてこれを保持するようになっている。
【００２４】
このように構成したことにより、連結ダクト１１を壁孔１ａに挿入する際、壁の内部での連結ダクト１１の引っかかりをなくすることができる。
【００２５】
図５（ａ）〜（ｄ）は本発明に係るパイプファンの第４の実施形態の構成を示す部分断面図及び部分斜視図である。図中、図１乃至図４と同一の要素には同一の符号を付してその説明を省略する。この実施形態はパイプファン本体４のフランジ部９ａの周方向を２等分した位置に、所定の幅を持って軸方向に折り返されてその先端に径方向内側に向かう爪部２３が形成され、さらに、軸方向に折り返された部位の略中間位置に径方向外側に突出する取手２４が形成されている。一方、連結ダクト１１のフランジ部１２ａは軸方向外側に突出し、しかも、その端面部を残して切り欠かれており、ここに、係合部２５が形成されている。図５（ｂ）は爪部２３及び取手２４の構成を示している。
【００２６】
このような構成により、パイプファン本体４を連結ダクト１１に装着する際、図５（ｃ）に示すように、パイプファン本体４を押しつけると爪部２３が係合部２５の縁端に接触して径方向外側に変位せしめられ、さらに、押し付けると図５（ａ）に示すように装着される。一方、連結ダクト１１からパイプファン本体４を取り外す場合には、図５（ｄ）に示すように、取手２４を手前側に引っ張り、爪部２３を係合部２５から外せばよい。この結果、連結ダクト１１に対してパイプファン本体４を工具を用いることなく単一操作で取り付け、取り外しができる。
【００２７】
図６（ａ）〜（ｄ）は本発明に係るパイプファンの第５の実施形態の構成を示す部分断面図及び平面図である。これは、図５に示した係合部２５及び爪部２３の変形例であり、係合部２５の爪部２３との接触面は周方向にある程度の幅を持っており、ここに放射状の凹凸２６が形成されている。また、爪部２３の係合部２５に対する接触面は凹凸２６に係合する突起部２７を備えている。この場合の、爪部２３の周方向寸法ａに比べて凹凸２６が形成される部位の周方向寸法ｂを格段に広くする。
【００２８】
このように構成することによって、例えば、図６（ｄ）に示すように、パイプファン本体４が連結ダクト１１に対して傾いて取り付けられたとき、パイプファン本体４を捻ることによって傾きを容易に修正することができる。
【００２９】
図７（ａ）及び（ｂ）は本発明に係るパイプファンの第６の実施形態の構成を示す断面図及び組立状態を示す斜視図である。この実施形態は固定枠１５に外壁部材６を装着する具体的な構成を示したもので、外壁部材６のフランジ部６ａの内側には軸方向内側に突出し、周方向寸法がａ′の爪部２８が形成されている。一方、固定枠１５には前述したように連結ダクト１１と結合するための爪部１７が形成され、この爪部１７から外れた位置に爪部２８と係合させるための周方向寸法がｂ′のスリット２９が形成されている。ここで、爪部２８の周方向寸法ａ′と比較してスリット２９の周方向寸法ｂ′を格段に大きくしておく。
【００３０】
かかる構成により、ねじ等を利用せずに外壁部材６を単純な押し込み操作で装着することができ、また爪部２８の周方向寸法に比較してスリット２９の周方向寸法を大きくしたことによって外壁部材６の取り付け角度を調整することができる。
【００３１】
図８は本発明に係るパイプファンの第７の実施形態の構成を示す部分断面図である。この実施形態は固定枠１５に対して寸法の異なる外壁部材６の取り付けを可能にするもので、固定枠１５の筒状部１６の軸方向長さをＤ、フランジ部１６ａの厚みをＥとし、外壁部材６のフランジ部６ａの径方向端から内側に曲げて形成される筒状被覆部３０の先端から固定枠１５の筒状部１６の内側に挿入される筒状部６ｂの先端までの長さをＤ′、筒状被覆部３０の内周面の軸方向長さをＥ′とするとき、次式の関係を満たす形状とする。
Ｃ＜Ｃ′     …（１）
Ｄ＜Ｄ′     …（２）
【００３２】
この実施形態によれば、市販されている寸法の異なる外壁部材６を、顧客のニーズに応じて装着できると言う効果が得られる。
【００３３】
図９は本発明に係るパイプファンの第８の実施形態の構成を示す斜視図及び要部の断面図である。このうち、（ａ）はパイプファン本体４の壁内に挿入される部分の斜視図であり、（ｂ）はこのパイプファン本体４に付帯させるスプリングの斜視図であり、（ｃ）はスプリングを取り付けたパイプファン本体４の部分断面図である。ここで、スプリング３４は帯状の弾性部材の中央部を切り起こして弓状に湾曲させたものでなり、各端部３４ａ及び３４ｂが互いに反対方向に折り曲げられ、一方の折り曲げ端部３４ｂに孔３７が形成されている。パイプファン本体４は筒状部９にフランジ部９ａが形成され、筒状部９の周囲の互いに反対側のフランジ９ａの内面に、スプリング３４の折り曲げ端３４ａを引っ掛ける係合部３５が設けられている。また、筒状部９と一体的に形成された電動機固定用の
脚３６の端面にスプリング３４の一方の折り曲げ端部３４ｂの孔３７と係合する爪部３８が突設されている。そこで、スプリング３４は爪部３８に折り曲げ端部３４ｂの孔３７を係合せしめ、係合部３５に折り曲げ端部３４ａを引っ掛けたとき、パイプファン本体４の筒状部の外周に弓型に湾曲したスプリング３４が径方向に撓む状態に保持される。
【００３４】
上記の構成により、パイプファン本体４をスプリング３４の弾性を利用して連結ダクト１１の内部に装着できる。この場合には、図５に示したパイプファン本体４の取り付け構造でなくともよいため、旧製品の買い替えや市販のパイプを利用する構成のパイプファンでも容易に着脱することができる。
【００３５】
図１０（ａ）及び（ｂ）は上記各実施形態に係る連結ダクト１１及び固定枠１５とを連結し、連結ダクト１１のフランジ部１２ａと固定枠１５のフランジ部１６ａとで挟み込まれる壁の厚みに対応して、伸縮寸法の範囲を示したもので、一般的には同図（ａ）に示すように９５ｍｍから同図（ｂ）に示すように２２０ｍｍの範囲に調整可能にすることにより、殆どの建物に対処できる。
【００３６】
図１１（ａ），（ｂ）は本発明に係るパイプファンの第９の実施形態の構成を示す斜視図及び部分断面図であり、図１２（ａ），（ｂ）はその詳細を示す斜視図及び取り付け状態図である。この実施形態はパイプファン本体４に弓状に湾曲するスプリングを付ける代わりに、連結ダクト１１のパイプファン本体４の挿入口部にスプリングを取り付けてパイプファン本体４を保持するものである。ここで、連結ダクト１１のフランジ部１２ａのパイプファン本体４の取り付け側の端面を周方向に３等分した位置にそれぞれ突起部４２が形成されている。この突起部４２の基部には径方向に貫通するスリット４３がフランジ面に沿って形成されている。圧接片としてのスプリング４０は弾性帯板を「く」の字形に折り曲げたものでなり、一方の折り曲げ部にはその一部を切り起こしてなる弾性突部４１が形成されている。この弾性突部４１はその端部が内側に向けられ、しかも、他方の折り曲げ部とは反対側に起こされている。
【００３７】
ここで、弾性突部４１が形成されたスプリング４０の一方の折り曲げ部を、径方向内側から外側に向けて突起部４２のスリット４３に挿通させる。このとき、弾性突部４１はスリット４３によって帯板と略同一平面を形成するように撓ませられ、弾性突部４１がスリット４３をとおり過ぎた状態で弾性突部４１が切り起こした状態に復帰し、これによってスプリング４０が突起部４２に保持され、他方の折り曲げ部が図示したようにパイプファン本体４の挿入口部にて径方向内側に曲がった状態に固定される。このようなスプリング４０がフランジ部１２ａを周方向に３等分した位置にそれぞれ設けられるため、これら３個のスプリング４０によってパイプファン本体４を保持することができる。
【００３８】
因みに、図１２（ａ）に示したように、スプリング４０を矢印Ｘ方向から突起部４２のスリット４３に挿入する場合、フランジ部１２ａの内周部を平坦に切り欠き、この切り欠き面から突起部４２の外側までの寸法をＢ、スプリング４０の折り曲げ部の内側から弾性突部４１の先端までの寸法をＣとし、スリット４３の幅をＧ、弾性突部４１の切り起こし高さをＨとしたとき、次式の関係を満たさなければならない。
Ｂ≦Ｃ        …（３）
Ｇ＜Ｈ        …（４）
【００３９】
また、図１２（ｂ）に示したように、パイプファン本体４の筒状部９の外径をＤ、連結ダクト１１の内部に挿入されるスプリング４０の折り曲げ部の内径寸法をＥ、先端部の内径寸法をＦとしたとき、次式の関係を満たさなければならない。
Ｆ＜Ｄ＜Ｅ       …（５）
【００４０】
かくして、第９の実施形態によれば、旧製品の買い替えや市販のパイプを利用する構成のパイプファンでも容易に着脱することができる。
【００４１】
図１３は本発明に係るパイプファンの第１０の実施形態の構成を示す部分断面図であり、図中、図１又は図２と同一の要素には同一の符号を付してその説明を省略する。この実施形態は結束バンド部材１９に対するロック機構部１８のロック解除要素を示したもので、ロック機構部１８はフランジ部１６ａと周方向に接合され、弾性を有するロック機構部１８の後背部に押し釦４５を設け、この押し釦４５を矢印Ｙ方向に押し操作することによって結束バンド部材１９に対するロック機構部１８の爪部の係合を解除するものである。
【００４２】
このように構成することによって、結束バンド部材１９を容易に取り外すことができる。
【００４３】
図１４は本発明に係るパイプファンの第１１の実施形態の構成を示す部分断面図であり、図中、図１又は図２と同一の要素には同一の符号を付してその説明を省略する。この実施形態はロック機構部１８の爪部を結束バンド部材１９の係合部から矢印Ｚ方向、すなわち、径方向外側に直接的に持ち上げるロック解除ツマミ４６を設けたものである。
【００４４】
このように構成することによって、結束バンド部材１９を容易に取り外すことができる。
【００４５】
図１５は本発明に係るパイプファンを構成する結束バンド部材の変形例で、薄板状に細長く形成された部分の両側に対をなした切込み５５を、長手方向に所定の間隔で形成したもので、これによって、特定の工具を使用せずに任意の位置で切断することができる。
【００４６】
図１６（ａ），（ｂ）は本発明に係るパイプファンの第１２の実施形態を示すもので、特に、パイプファン本体４に対する弓状スプリングの装着状態を示す斜視図及びその取り付けねじの一例を示した側面図である。図中、弓状に湾曲したスプリングを装着する図９と同一の要素には同一の符号を付してその説明を省略する。ここで、スプリング５５は全体が弓状に曲がって電動機固定用の脚３６の外側に取り付けられている。このスプリング５５の一端５５ａは直角に折り曲げられ、固定ねじ５６によって電動機固定用の脚３６の電動機１０ａの取り付け端面に固定され、スプリング５５の他端はパイプファン本体４のフランジ部９ａ（図９参照）の方向に向く自由端となっている。なお、固定ねじ５６は頭部に円形のツマミを備えるものを示したが、この代わりに（ｂ）に示すように、蝶ねじ５７、ツマミねじ５８、押し回しねじ５９等、他の固定ねじを用いても工具を使用しないでスプリング５５の着脱が可能となり、図９に示した実施形態と同様に、旧製品の買い替えや市販のパイプを利用する構成のパイプファンでも容易に取替えができる。
【００４７】
図１７（ａ），（ｂ）はパイプファン本体４に対する弓状スプリングの変形例を示す斜視図及び要部拡大断面図である。ここで、パイプファン本体４の電動機固定用の脚３６の端面に、固定用金具６０が固定ねじ６１によって固定されている。固定用金具６０は径方向外側の先端部が切り込まれ、その両側部がパイプファン本体４の挿入方向に直角に折り曲げられて切り曲げ部６２が形成され、中央部がフランジ部９ａ（図９参照）の方向に直角に折り曲げられて切り曲げ部６３が形成されている。スプリング６５はその一端部がクランク状に折り曲げられ、その末端部に保持孔６６が形成され、その中間に外側に切り起こしてなる切り起こし部６７が形成されている。スプリング６５の保持孔６６は切り曲げ部６３を通すもので、この状態で切り曲げ部６２の内側と切り起こし部６７の内側を巻回する止めリング６９が設けられている。止めリング６９は針金を方形に折り曲げたものでなり、スプリング６５を図面上方に立てた状態で止めリング６９を切り曲げ部６２及び切り起こし部６７に引っ掛け、次いで、スプリング６５を図示した状態に倒すことによってトグル機構を利用しての装置が可能となる。これによって、工具を使用することなくスプリング６５を着脱させることができる。
【００４８】
図１８（ａ），（ｂ）は図１７に示したスプリング６５の変形例を示し、単純に切り起こした切り曲げ部に代えて、この切り曲げ部を「Ｕ」字形に曲げ加工して切り曲げ部６３ａとしたもので、これによってスプリング６５が止めリング６９から分離することを防ぎ、その保持性能を高めることができる。
【００４９】
図１９（ａ），（ｂ）は本発明に係るパイプファンの第１３の実施形態の要部を示した斜視図及び部分断面図である。図中、図７に示したものと同一の要素には同一の符号を付してその説明を省略する。前述したとおり、外壁部材６の内側に形成された爪部２８が固定枠１５の内側に挿入されて一対のスリット２９と係合する。このうち、爪部２８の周方向の一端部に、図１９（ｂ）に示したように、その内側から側方に向かって傾斜面２８ａを形成した点が図７に示した第６の実施形態と構成を異にしている。このように構成することによって、一旦、装着された外壁部材６を僅かの角度だけ回転させるだけで取り外すことができる利点がある。
【００５０】
図２０（ａ），（ｂ）は本発明に係るパイプファンの第１４の実施形態の要部を示した側面図及び部分断面図である。図中、図１９に示したものと同一の要素には同一の符号を付してその説明を省略する。これは、固定枠１５に形成されるスリット２９の側方に、軸方向に角度αだけ傾けた傾斜スリット２９ａを連続形成した点が図７に示した第６の実施形態と構成を異にしている。このように構成することによって、一旦、装着された外壁部材６を傾斜スリット２９ａ側に回転させると、爪部２８の先端が傾斜スリット２９ａの角部に接触して径方向内側に曲げられ、これによって外壁部材６を容易に取り外すことができる利点がある。
【００５１】
図２１（ａ），（ｂ）は本発明に係るパイプファンの第１５の実施形態の要部を示した斜視図及び部分斜視図である。図中、図２０に示したものと同一の要素には同一の符号を付してその説明を省略する。これは、固定枠１５の内面の所定の範囲に凹凸部３９を形成し、爪部２８の内面を凹凸部３９に嵌合するように形成したもので、爪部２８の弾力性を利用して凹凸部３９を形成した範囲内で外壁部材６の取り付け位置を回転させ得るようにしたものである。なお、図２１（ｂ）は凹凸部３９に爪部２８を嵌合させるに際し、周方向の末端の凹状溝３９ａを軸方向端まで連続形成して爪部２８の挿脱を容易化したもので、結果的に外壁部材６の着脱が容易化される。
【００５２】
図２２は本発明に係るパイプファンの第１６の実施形態の要部を示した斜視図である。図中、図１９に示したものと同一の要素には同一の符号を付してその説明を省略する。これは、固定枠１５に形成されるスリット２９の周方向の一端に、軸方向溝２９ｂを連続形成したもので、これによって、爪部２８の挿脱が容易化されると共に、外壁部材６の着脱が容易化される。
【００５３】
【発明の効果】
以上の説明によって明らかなように、本発明によれば、建物の壁厚が異なる場合でも、施工を容易化すると共に、補修交換も容易化することのできるパイプファンを提供することができる。
【図面の簡単な説明】
【図１】  本発明に係るパイプファンの第１の実施形態の構成を示す縦断面図。
【図２】  図１に示した実施形態の分解斜視図。
【図３】  本発明に係るパイプファンの第２の実施形態の構成を示す部分断面図。
【図４】  本発明に係るパイプファンの第３の実施形態の構成を示す部分斜視図。
【図５】  本発明に係るパイプファンの第４の実施形態の構成を示す部分断面図及び部分斜視図。
【図６】  本発明に係るパイプファンの第５の実施形態の構成を示す部分断面図及び平面図。
【図７】  本発明に係るパイプファンの第６の実施形態の構成を示す断面図及び組立状態を示す斜視図。
【図８】  本発明に係るパイプファンの第７の実施形態の構成を示す部分断面図。
【図９】  本発明に係るパイプファンの第８の実施形態の構成を示す斜視図及び要部の断面図。
【図１０】  上記各実施形態に係るジャバラ部及び固定枠とを連結しフランジ間に挟み込まれる壁の厚みに対応して、伸縮寸法の範囲を示した図。
【図１１】  本発明に係るパイプファンの第９の実施形態の構成を示す斜視図及び部分断面図。
【図１２】  図１１に示した実施形態の詳細を示す斜視図及び取り付け状態図。
【図１３】  本発明に係るパイプファンの第１０の実施形態の構成を示す部分断面図。
【図１４】  本発明に係るパイプファンの第１１の実施形態の構成を示す部分断面図。
【図１５】  本発明に係るパイプファンを構成する結束バンド部材の変形例。
【図１６】  本発明に係るパイプファンの第１２の実施形態を示すパイプファン本体に対する弓状スプリングの装着状態を示す斜視図及びその取り付けねじの一例を示した側面図。
【図１７】  上記各実施形態のパイプファン本体に付帯する弓状スプリングの変形例を示す斜視図及び要部拡大断面図。
【図１８】  図１８に示した板ばねの変形例を示した図。
【図１９】  本発明に係るパイプファンの第１３の実施形態の要部を示した斜視図及び部分断面図。
【図２０】  本発明に係るパイプファンの第１４の実施形態の要部を示した側面図及び部分断面図。
【図２１】  本発明に係るパイプファンの第１５の実施形態の要部を示した斜視図及び部分斜視図。
【図２２】  本発明に係るパイプファンの第１６の実施形態の要部を示した斜視図。
【図２３】  従来のパイプファンの構成及び壁に取付ける際の施工方法と併せて示した説明図。
【符号の説明】
１，２  壁材
４  パイプファン本体
６  外壁部材
９  筒状部
１０ａ  電動機
１１ｂ  羽根
１１  連結ダクト
９ａ，１２ａ，１６ａ，７２，８２  フランジ部
１２ｂ  環状部材
１３  角孔
１５  固定枠
１６ａ  フランジ部
１７，２３  爪部
１８  ロック機構部
１９  結束バンド部材
２２  ガイド
２４  取手
２５，２７  係合部
３０  筒状被覆部
３４，４０，５５，６５  スプリング
７０  室内側連結ダクト
８０  室外側連結ダクト
【図１】
0004259722.tif 000002
【図２】
0004259722.tif 000003
【図３】
0004259722.tif 000004
【図４】
0004259722.tif 000005
【図５】
0004259722.tif 000006
【図６】
0004259722.tif 000007
【図７】
0004259722.tif 000008
【図８】
0004259722.tif 000009
【図９】
0004259722.tif 000010
【図１０】
0004259722.tif 000011
【図１１】
0004259722.tif 000012
【図１２】
0004259722.tif 000013
【図１３】
0004259722.tif 000014
【図１４】
0004259722.tif 000015
【図１５】
0004259722.tif 000016
【図１６】
0004259722.tif 000017
【図１７】
0004259722.tif 000018
【図１８】
0004259722.tif 000019
【図１９】
0004259722.tif 000020
【図２０】
0004259722.tif 000021
【図２１】
0004259722.tif 000022
【図２２】
0004259722.tif 000023
【図２３】
0004259722.tif 000024